(57)【要約】【課題】印刷設定における操作性をさらに向上させることが可能な技術を提供する。【解決手段】印刷制御装置は、印刷装置の給紙トレイ内に配置されている用紙の用紙サイズの情報（たとえば「Ａ４」）を取得し、印刷設定画面ＧＲ内の設定項目「用紙サイズ」に関する設定候補表示欄ＬＣにおける表示対象選択肢として「Ａ４」を登録する。また、印刷制御装置は、ユーザの追加登録操作入力等に応じて取得された情報（「Ａ３」）をも表示対象選択肢として登録する。印刷制御装置は、設定候補表示欄ＬＣにおいて、設定項目「用紙サイズ」に関する複数の選択肢のうち、「Ａ４」および「Ａ３」のみを表示対象選択肢として表示する。【選択図】図１１
2014228944.tif 000002
【特許請求の範囲】
【請求項１】
印刷装置を制御する印刷制御装置であって、
印刷用紙に関する設定項目の選択肢を構成し得る情報であって、前記印刷装置の給紙トレイ内に配置されている用紙の情報である第１の情報を取得する取得手段と、
印刷設定画面内の前記設定項目に関する設定候補表示欄における表示対象選択肢として前記第１の情報を登録するとともに、ユーザの操作に応じて取得された第２の情報をも前記表示対象選択肢として登録する登録手段と、
前記設定候補表示欄において、前記設定項目に関する複数の選択肢のうち前記第１の情報と前記第２の情報とを含む一部の選択肢のみを前記表示対象選択肢として表示する表示制御手段と、
を備えることを特徴とする印刷制御装置。
【請求項２】
請求項１に記載の印刷制御装置において、
前記第２の情報は、前記表示対象選択肢のカスタマイズ登録画面における前記ユーザによる所望の選択肢の追加登録操作入力に応じて取得されることを特徴とする印刷制御装置。
【請求項３】
請求項２に記載の印刷制御装置において、
前記表示制御手段は、前記印刷装置の印刷出力に関する複数の機能のうち、前記表示対象選択肢のいずれかの選択に応じて利用可能な機能を、前記カスタマイズ登録画面に表示することを特徴とする印刷制御装置。
【請求項４】
請求項２に記載の印刷制御装置において、
前記表示制御手段は、前記印刷装置の印刷出力に関する複数の機能のうち、前記表示対象選択肢のいずれの選択に応じても利用不可能な機能を、前記カスタマイズ登録画面に表示することを特徴とする印刷制御装置。
【請求項５】
請求項１ないし請求項４のいずれかに記載の印刷制御装置において、
前記取得手段は、ユーザの操作に応じて前記給紙トレイにて入替配置された新たな用紙の情報を前記第２の情報として自動的に取得することを特徴とする印刷制御装置。
【請求項６】
請求項１ないし請求項５のいずれかに記載の印刷制御装置において、
前記取得手段は、前記設定項目の選択肢を構成し得る情報であって前記印刷装置での利用が予定されている用紙の情報として管理サーバに記憶されている情報である第３の情報を前記管理サーバから取得し、
前記登録手段は、前記表示対象選択肢として前記第１の情報と前記第３の情報とを登録するとともに、ユーザの操作に応じて取得された前記第２の情報をも前記表示対象選択肢として登録し、
前記表示制御手段は、前記設定候補表示欄において、前記設定項目に関する複数の選択肢のうち、前記第１の情報と前記第２の情報と前記第３の情報とを含む一部の選択肢のみを前記表示対象選択肢として表示することを特徴とする印刷制御装置。
【請求項７】
請求項１ないし請求項５のいずれかに記載の印刷制御装置において、
前記取得手段は、前記印刷装置を管理する管理サーバに格納された前記第１の情報を、前記管理サーバから取得することを特徴とする印刷制御装置。
【請求項８】
請求項１ないし請求項５のいずれかに記載の印刷制御装置において、
前記取得手段は、前記印刷装置内に格納された前記第１の情報を、前記印刷装置から取得することを特徴とする印刷制御装置。
【請求項９】
請求項１ないし請求項８のいずれかに記載の印刷制御装置において、
前記設定項目は、用紙サイズおよび用紙種類の少なくとも一方を含むことを特徴とする印刷制御装置。
【請求項１０】
コンピュータに、
ａ）印刷用紙に関する設定項目の選択肢を構成し得る情報であって、印刷装置の給紙トレイ内に配置されている用紙の情報である第１の情報を取得するステップと、
ｂ）印刷設定画面内の前記設定項目に関する設定候補表示欄における表示対象選択肢として前記第１の情報を登録するステップと、
ｃ）ユーザの操作に応じて取得された第２の情報をも前記表示対象選択肢として登録するステップと、
ｄ）前記設定候補表示欄において、前記設定項目に関する複数の選択肢のうち、前記第１の情報と前記第２の情報とを含む一部の選択肢のみを前記表示対象選択肢として表示するステップと、
を実行させるためのプログラム。
【請求項１１】
請求項１０に記載のプログラムにおいて、
前記ステップｃ）は、
ｃ−１）前記表示対象選択肢のカスタマイズ登録画面における前記ユーザによる所望の選択肢の追加登録操作入力に応じて前記第２の情報を取得するステップと、
ｃ−２）前記ステップｃ−１）で取得された前記第２の情報をも前記表示対象選択肢として登録するステップと、
を有することを特徴とするプログラム。
【請求項１２】
請求項１１に記載のプログラムにおいて、
前記ステップｃ）は、
ｃ−３）前記印刷装置の印刷出力に関する複数の機能のうち、前記表示対象選択肢のいずれかの選択に応じて利用可能な機能を、前記カスタマイズ登録画面に表示するステップ、
をさらに有することを特徴とするプログラム。
【請求項１３】
請求項１１に記載のプログラムにおいて、
前記ステップｃ）は、
ｃ−３）前記印刷装置の印刷出力に関する複数の機能のうち、前記表示対象選択肢のいずれの選択に応じても利用不可能な機能を、前記カスタマイズ登録画面に表示するステップ、
をさらに有することを特徴とするプログラム。
【請求項１４】
請求項１０ないし請求項１３のいずれかに記載のプログラムにおいて、
前記ステップｃ）は、
ｃ−４）ユーザの操作に応じて前記給紙トレイにて入替配置された新たな用紙の情報を前記第２の情報として自動的に取得するステップと、
ｃ−５）前記ステップｃ−４）で取得された前記第２の情報をも前記表示対象選択肢として登録するステップと、
を有することを特徴とするプログラム。
【請求項１５】
請求項１０ないし請求項１４のいずれかに記載のプログラムにおいて、
コンピュータに、
ｅ）前記設定項目の選択肢を構成し得る情報であって前記印刷装置での利用が予定されている用紙の情報として管理サーバに記憶されている情報である第３の情報を前記管理サーバから取得するステップ、
をさらに実行させ、
前記ステップｂ）においては、前記第１の情報に加えて前記第３の情報もが前記表示対象選択肢として登録され、
前記ステップｄ）においては、前記設定項目に関する複数の選択肢のうち、前記第１の情報と前記第２の情報と前記第３の情報とを含む一部の選択肢のみが、前記表示対象選択肢として前記設定候補表示欄に表示されることを特徴とするプログラム。
【請求項１６】
請求項１０ないし請求項１４のいずれかに記載のプログラムにおいて、
前記ステップａ）において、前記印刷装置を管理する管理サーバに格納された前記第１の情報が、前記管理サーバから取得されることを特徴とするプログラム。
【請求項１７】
請求項１０ないし請求項１４のいずれかに記載のプログラムにおいて、
前記ステップａ）において、前記印刷装置内に格納された前記第１の情報が、前記印刷装置から取得されることを特徴とするプログラム。
【請求項１８】
請求項１０ないし請求項１７のいずれかに記載のプログラムにおいて、
前記設定項目は、用紙サイズおよび用紙種類の少なくとも一方を含むことを特徴とするプログラム。
【発明の詳細な説明】
【技術分野】
【０００１】
本発明は、印刷装置を制御する印刷制御装置、およびそれに関連する技術に関する。
【背景技術】
【０００２】
印刷システムにおいては、プリンタドライバ等によって印刷用紙に関する設定項目（たとえば「用紙サイズ」）を設定し、当該設定に基づき印刷動作が実行される。
【０００３】
具体的には、プリンタドライバ等の設定画面内の当該設定項目（たとえば用紙サイズ）に関するリストボックスをクリックすると、設定可能な多数の選択肢がリストボックスの選択肢リスト表示欄に表示される。この選択肢リスト表示欄（設定候補表示欄とも称する）には、プリンタドライバ内に保持されている多数の選択肢（たとえば数十個）が全て表示される（図２３参照）。ユーザは、当該多数の選択肢の中から所望の選択肢を選択することによって、当該設定項目の設定内容（たとえば、「Ａ４」サイズ）を指定する。
【先行技術文献】
【特許文献】
【０００４】
【特許文献１】特開２００３−１４０８５９号公報
【特許文献２】特開２００４−２４０５８５号公報
【発明の概要】
【発明が解決しようとする課題】
【０００５】
しかしながら、当該設定項目（たとえば用紙サイズ）の選択肢リスト表示欄において、プリンタドライバ内に保持されている多数の選択肢が全て表示されると、ユーザは、自分に全く無関係の選択肢を含む多数の選択肢の中から所望の選択肢を探すことを強いられる。すなわち、ユーザにとって不要な選択肢が選択肢リスト表示欄にて無用に表示されており、このような煩雑な表示は、ユーザの操作性を低下させる。
【０００６】
特許文献１に記載の技術においては、プリンタドライバ内の多数の選択肢のうち給紙トレイに配置された用紙の「用紙サイズ」が、選択肢リストの上位に表示される。そのため、給紙トレイに配置された用紙の「用紙サイズ」が上位側にリストアップされることを知っているユーザは、所望の選択肢を比較的容易に探すことが可能である。しかしながら、当該上位に表示された幾つかの選択肢に加えて他の多数の選択肢も選択肢リスト表示欄に表示されており、依然として煩雑な表示が行われている。そのため、上位側にリストアップされていることを知らないユーザは、上位側以外の部分から順に所望の選択肢を探し始めることもあり、必ずしも操作性を向上できないこともある。
【０００７】
特許文献２には、選択肢リスト表示欄に表示されるべき選択肢（表示対象選択肢とも称する）を予めカスタマイズしておく技術が記載されている。具体的には、デジタルプリントサービスにおいて、各店舗に配置されるパーソナルコンピュータにアプリケーションソフトウエアとプリンタドライバとが導入され、アプリケーションソフトウエアがプリンタドライバから印刷属性情報（用紙サイズ情報）を取得する。そして、アプリケーションソフトウエア（表示設定部）は、印刷属性情報に含まれる多数の選択肢の中から、用紙サイズ表示設定ダイアログを用いてユーザによってカスタマイズされた選択肢のみを表示し、ユーザ（オペレータ）による設定操作を受け付ける。
【０００８】
特許文献２に記載の技術によれば、プリンタドライバ内の多数の選択肢の中からユーザによって選択された選択肢のみが表示されるため、ユーザは所望の選択肢を探し易くなる。しかしながら、カスタマイズ段階において、多数の選択肢の中から印刷設定時に選択肢として表示されるべき選択肢（表示対象選択肢）を選択する操作を、全ての所望の選択肢に対して行うことを要する。したがって、ユーザの操作性は必ずしも十分ではない。
【０００９】
そこで、この発明は、印刷設定における操作性をさらに向上させることが可能な技術を提供することを課題とする。
【課題を解決するための手段】
【００１０】
上記課題を解決すべく、請求項１の発明は、印刷装置を制御する印刷制御装置であって、印刷用紙に関する設定項目の選択肢を構成し得る情報であって、前記印刷装置の給紙トレイ内に配置されている用紙の情報である第１の情報を取得する取得手段と、印刷設定画面内の前記設定項目に関する設定候補表示欄における表示対象選択肢として前記第１の情報を登録するとともに、ユーザの操作に応じて取得された第２の情報をも前記表示対象選択肢として登録する登録手段と、前記設定候補表示欄において、前記設定項目に関する複数の選択肢のうち前記第１の情報と前記第２の情報とを含む一部の選択肢のみを前記表示対象選択肢として表示する表示制御手段と、を備えることを特徴とする。
【００１１】
請求項２の発明は、請求項１の発明に係る印刷制御装置において、前記第２の情報は、前記表示対象選択肢のカスタマイズ登録画面における前記ユーザによる所望の選択肢の追加登録操作入力に応じて取得されることを特徴とする。
【００１２】
請求項３の発明は、請求項２の発明に係る印刷制御装置において、前記表示制御手段は、前記印刷装置の印刷出力に関する複数の機能のうち、前記表示対象選択肢のいずれかの選択に応じて利用可能な機能を、前記カスタマイズ登録画面に表示することを特徴とする。
【００１３】
請求項４の発明は、請求項２の発明に係る印刷制御装置において、前記表示制御手段は、前記印刷装置の印刷出力に関する複数の機能のうち、前記表示対象選択肢のいずれの選択に応じても利用不可能な機能を、前記カスタマイズ登録画面に表示することを特徴とする。
【００１４】
請求項５の発明は、請求項１ないし請求項４のいずれかの発明に係る印刷制御装置において、前記取得手段は、ユーザの操作に応じて前記給紙トレイにて入替配置された新たな用紙の情報を前記第２の情報として自動的に取得することを特徴とする。
【００１５】
請求項６の発明は、請求項１ないし請求項５のいずれかの発明に係る印刷制御装置において、前記取得手段は、前記設定項目の選択肢を構成し得る情報であって前記印刷装置での利用が予定されている用紙の情報として管理サーバに記憶されている情報である第３の情報を前記管理サーバから取得し、前記登録手段は、前記表示対象選択肢として前記第１の情報と前記第３の情報とを登録するとともに、ユーザの操作に応じて取得された前記第２の情報をも前記表示対象選択肢として登録し、前記表示制御手段は、前記設定候補表示欄において、前記設定項目に関する複数の選択肢のうち、前記第１の情報と前記第２の情報と前記第３の情報とを含む一部の選択肢のみを前記表示対象選択肢として表示することを特徴とする。
【００１６】
請求項７の発明は、請求項１ないし請求項５のいずれかの発明に係る印刷制御装置において、前記取得手段は、前記印刷装置を管理する管理サーバに格納された前記第１の情報を、前記管理サーバから取得することを特徴とする。
【００１７】
請求項８の発明は、請求項１ないし請求項５のいずれかの発明に係る印刷制御装置において、前記取得手段は、前記印刷装置内に格納された前記第１の情報を、前記印刷装置から取得することを特徴とする。
【００１８】
請求項９の発明は、請求項１ないし請求項８のいずれかの発明に係る印刷制御装置において、前記設定項目は、用紙サイズおよび用紙種類の少なくとも一方を含むことを特徴とする。
【００１９】
請求項１０の発明は、コンピュータに、ａ）印刷用紙に関する設定項目の選択肢を構成し得る情報であって、印刷装置の給紙トレイ内に配置されている用紙の情報である第１の情報を取得するステップと、ｂ）印刷設定画面内の前記設定項目に関する設定候補表示欄における表示対象選択肢として前記第１の情報を登録するステップと、ｃ）ユーザの操作に応じて取得された第２の情報をも前記表示対象選択肢として登録するステップと、ｄ）前記設定候補表示欄において、前記設定項目に関する複数の選択肢のうち、前記第１の情報と前記第２の情報とを含む一部の選択肢のみを前記表示対象選択肢として表示するステップと、を実行させるためのプログラムであることを特徴とする。
【００２０】
請求項１１の発明は、請求項１０の発明に係るプログラムにおいて、前記ステップｃ）は、ｃ−１）前記表示対象選択肢のカスタマイズ登録画面における前記ユーザによる所望の選択肢の追加登録操作入力に応じて前記第２の情報を取得するステップと、ｃ−２）前記ステップｃ−１）で取得された前記第２の情報をも前記表示対象選択肢として登録するステップと、を有することを特徴とする。
【００２１】
請求項１２の発明は、請求項１１の発明に係るプログラムにおいて、前記ステップｃ）は、ｃ−３）前記印刷装置の印刷出力に関する複数の機能のうち、前記表示対象選択肢のいずれかの選択に応じて利用可能な機能を、前記カスタマイズ登録画面に表示するステップ、をさらに有することを特徴とする。
【００２２】
請求項１３の発明は、請求項１１の発明に係るプログラムにおいて、前記ステップｃ）は、ｃ−３）前記印刷装置の印刷出力に関する複数の機能のうち、前記表示対象選択肢のいずれの選択に応じても利用不可能な機能を、前記カスタマイズ登録画面に表示するステップ、をさらに有することを特徴とする。
【００２３】
請求項１４の発明は、請求項１０ないし請求項１３のいずれかの発明に係るプログラムにおいて、前記ステップｃ）は、ｃ−４）ユーザの操作に応じて前記給紙トレイにて入替配置された新たな用紙の情報を前記第２の情報として自動的に取得するステップと、ｃ−５）前記ステップｃ−４）で取得された前記第２の情報をも前記表示対象選択肢として登録するステップと、を有することを特徴とする。
【００２４】
請求項１５の発明は、請求項１０ないし請求項１４のいずれかの発明に係るプログラムにおいて、コンピュータに、ｅ）前記設定項目の選択肢を構成し得る情報であって前記印刷装置での利用が予定されている用紙の情報として管理サーバに記憶されている情報である第３の情報を前記管理サーバから取得するステップ、をさらに実行させ、前記ステップｂ）においては、前記第１の情報に加えて前記第３の情報もが前記表示対象選択肢として登録され、前記ステップｄ）においては、前記設定項目に関する複数の選択肢のうち、前記第１の情報と前記第２の情報と前記第３の情報とを含む一部の選択肢のみが、前記表示対象選択肢として前記設定候補表示欄に表示されることを特徴とする。
【００２５】
請求項１６の発明は、請求項１０ないし請求項１４のいずれかの発明に係るプログラムにおいて、前記ステップａ）において、前記印刷装置を管理する管理サーバに格納された前記第１の情報が、前記管理サーバから取得されることを特徴とする。
【００２６】
請求項１７の発明は、請求項１０ないし請求項１４のいずれかの発明に係るプログラムにおいて、前記ステップａ）において、前記印刷装置内に格納された前記第１の情報が、前記印刷装置から取得されることを特徴とする。
【００２７】
請求項１８の発明は、請求項１０ないし請求項１７のいずれかの発明に係るプログラムにおいて、前記設定項目は、用紙サイズおよび用紙種類の少なくとも一方を含むことを特徴とする。
【発明の効果】
【００２８】
請求項１ないし請求項１８に記載の発明によれば、印刷設定画面内の設定項目に関する設定候補表示欄において、設定項目に関する複数の選択肢のうち、第１の情報と第２の情報とを含む一部の選択肢のみが表示対象選択肢として表示されるので、ユーザは多数の選択肢に惑わされることなく、所望の選択肢を選択することが可能である。したがって、ユーザは高い操作性を得ることができる。また、特に、印刷装置の給紙トレイ内に配置された用紙の情報（第１の情報）は自動的に取得され、表示対象選択肢として自動的に登録されるので、操作者の手間を軽減することができる。すなわち、ユーザは高い操作性を得ることができる。
【００２９】
特に、請求項５および請求項１４に記載の発明によれば、入れ替え後の新たな用紙の情報が自動的に追加されていくので、さらに高い操作性を得ることができる。
【図面の簡単な説明】
【００３０】
【図１】印刷システムの構成を示す概略図である。
【図２】コンピュータ（印刷制御装置）のソフトウエア構成を示す図である。
【図３】コンピュータのハードウエア構成を示す図である。
【図４】プリンタ内の給紙トレイに「Ａ４」サイズの用紙が配置された様子を示す図である。
【図５】給紙トレイ内の用紙種類が変更された様子を示す図である。
【図６】別サイズの用紙が手差しトレイに配置された様子を示す図である。
【図７】コンピュータの動作を示すフローチャートである。
【図８】プリンタドライバの設定画面（印刷設定ダイアログ）を示す図である。
【図９】手動登録ダイアログ（カスタマイズ前）を示す図である。
【図１０】手動登録ダイアログ（カスタマイズ後）を示す図である。
【図１１】カスタマイズ後の設定画面を示す図である。
【図１２】用紙サイズと利用可能機能との関係が規定されたデータテーブルを示す図である。
【図１３】表示対象選択肢リストを示す図である。
【図１４】表示対象選択肢リストを示す図である。
【図１５】表示対象選択肢リストを示す図である。
【図１６】手動登録ダイアログにおいて更なるカスタマイズ操作が行われる様子を示す図である。
【図１７】更なるカスタマイズ後の設定画面を示す図である。
【図１８】「仕上げ」タブに係る設定画面を示す図である。
【図１９】新たに利用可能になった機能のみが強調表示される様子を示す図である。
【図２０】変形例に係る手動登録ダイアログ（カスタマイズ前）を示す図である。
【図２１】変形例に係る手動登録ダイアログ（カスタマイズ後）を示す図である。
【図２２】別の変形例に係る印刷システムを示す図である。
【図２３】比較例に係る設定候補表示欄を示す図である。
【発明を実施するための形態】
【００３１】
以下、本発明の実施形態を図面に基づいて説明する。
【００３２】
＜１．システム概要＞
図１は、印刷システム１の構成を示す概略図である。
【００３３】
図１に示すように、印刷システム１は、印刷用の出力データを生成するコンピュータ１０と、印刷出力機能を有するプリンタ８０とを備える。
【００３４】
プリンタ（印刷装置）８０は、印刷出力部８５等を備えており、コンピュータ１０等からの印刷出力指令に基づいて、印刷出力部８５等を用いて印刷出力動作を実行する。プリンタ８０は、たとえば、単機能プリンタ、あるいは、マルチ・ファンクション・ペリフェラル（Multi-Functional Peripheral）（ＭＦＰとも略称する）などとして構成される。
【００３５】
コンピュータ１０は、図３に示すように、ＣＰＵ２、半導体メモリ（ＲＡＭ等）３、ハードディスクドライブ４、表示部（液晶表示部等）５、および入力部（キーボード、マウス等）６を備えて構成される。コンピュータ１０は、そのＣＰＵ２等を用いて各種のプログラムを実行することによって様々な機能を実現する。図３は、コンピュータ（印刷制御装置）１０のハードウエア構成を示す概略図である。
【００３６】
コンピュータ１０には所定のＯＳ（オペレーティングシステム）がインストールされており、複数のアプリケーションソフトウエアプログラム（単に、アプリケーション或いはアプリケーションソフトウエアなどとも称する）２０を当該ＯＳ上で実行することが可能である。
【００３７】
また、各アプリケーションソフトウエア２０は、ユーザによる印刷操作（印刷指令）に応じて、プリンタ８０制御用のプリンタドライバプログラム（単にプリンタドライバとも称する）３０を呼び出して実行する。プリンタドライバ３０は、操作者（ユーザ）の入力操作等による印刷設定内容に応じて印刷設定動作を行い、プリンタ８０に対する印刷制御動作を実行する。そして、プリンタドライバ３０の印刷制御動作に応じて、プリンタ８０は印刷出力動作を行う。このように、コンピュータ１０は、プリンタ８０の印刷出力を制御する印刷制御装置としても機能する。
【００３８】
また、コンピュータ１０は、図２に示すように、取得部１１と登録部１２と表示制御部１４と印刷データ生成部１５とを有する。これらの処理部は、アプリケーションソフトウエア２０およびプリンタドライバ３０等を実行することによって実現される。図２は、コンピュータ（印刷制御装置）１０のソフトウエア構成を示す機能ブロック図である。
【００３９】
取得部１１は、印刷設定画面ＧＲ（図８等参照）内における印刷用紙の所定の設定項目（ここでは「用紙サイズ」）の選択肢を構成し得る情報であって、プリンタ８０の給紙トレイＴＲ１（図４参照）内にセット（配置）されている用紙の情報Ｍ１（自動取得情報とも称する）を取得する処理部である。取得部１１は、通信ネットワークを介してプリンタ８０等から当該情報Ｍ１を取得する。
【００４０】
登録部１２は、設定項目に関する多数の選択肢（詳細には、プリンタドライバ３０に保持された多数の選択肢）のうち、当該設定項目に関する設定候補表示欄ＬＣ（図１１等参照）に設定操作時において表示されるべき選択肢（表示対象選択肢とも称する）を登録する処理部である。登録部１２は、設定項目に関する表示対象選択肢として自動取得情報Ｍ１を登録するとともに、ユーザの操作に応じて取得された追加登録情報Ｍ２をも表示対象選択肢として登録する。たとえば、ユーザの操作入力に応じてカスタマイズされた選択肢が追加登録情報Ｍ２に決定され、追加登録情報Ｍ２が表示対象選択肢として追加登録される。
【００４１】
表示制御部１４は、印刷設定画面ＧＲ（図８および図１１等参照）を表示部に表示する処理部である。たとえば、図１１に示すように、表示制御部１４は、印刷設定画面ＧＲ内の「用紙サイズ」に関するリストボックスＬＢの設定候補表示欄ＬＣにおいて、当該設定項目に関する複数の選択肢のうち、自動取得情報Ｍ１（たとえば「Ａ４」サイズ）と追加登録情報Ｍ２（たとえば「Ａ３」サイズ）とを表示対象選択肢として表示する。
【００４２】
印刷データ生成部１５は、印刷設定に応じた印刷データを生成し、当該印刷データをプリンタ８０に送信する。当該印刷データに基づいて、プリンタ８０は印刷出力を行う。
【００４３】
＜２．動作＞
以下では、印刷システム１の動作について図７を参照しながら説明する。図７は、コンピュータ１０の動作を示すフローチャートである。
【００４４】
ユーザは、コンピュータ１０において、アプリケーション２０を起動させて印刷対象の文書（プリント文書とも称する）のデータファイルを開いた状態で、マウス操作等によって当該アプリケーション２０の「印刷」メニューコマンドを選択する。この選択操作により印刷設定指示がユーザからコンピュータ１０に付与されると、図７に示すように、印刷設定画面ＧＲに基づく印刷設定処理が行われる。
【００４５】
まずステップＳ１１において、コンピュータ１０の取得部１１は、印刷用紙に関する所定の設定項目（ここでは「用紙サイズ」）の選択肢を構成し得る情報であって、プリンタ８０の給紙トレイＴＲ１（図４参照）内に配置（セット）された用紙の情報Ｍ１（詳細には当該用紙のサイズ情報）を取得する。たとえば、コンピュータ１０は、プリンタ８０と通信して、プリンタ８０の給紙トレイＴＲ１に配置されている用紙が「Ａ４」サイズのものである旨の情報Ｍ１を取得する。当該情報Ｍ１としては、プリンタ８０に設けられた用紙サイズ検出センサによって自動的に検出された内容、あるいは、ユーザ（管理者等）の操作入力によって予め指定された内容が、プリンタ８０内において予め取得され格納されているものとする。
【００４６】
次に、ステップＳ１２において、表示対象選択肢リストＬＴ（図１３参照）が、ステップＳ１１で取得された情報Ｍ１（自動取得情報）に基づいて更新される。図１３の表示対象選択肢リストＬＴにおいては、当該情報Ｍ１に基づいて、設定項目「用紙サイズ」に関する表示対象選択肢として「Ａ４（サイズ）」が登録されている。また、表示対象選択肢「Ａ４」の決定要因が「デバイス」（プリンタ８０）であること（選択肢「Ａ４」がデバイス（プリンタ８０）との通信によって表示対象選択肢として追加されたこと）も表示対象選択肢リストＬＴ（ＬＴ１）において記憶される。表示対象選択肢リストＬＴは、プリンタドライバ３０の管理下においてコンピュータ１０に格納される。
【００４７】
ステップＳ１３において、コンピュータ１０の表示制御部１４は、プリンタドライバ３０の設定画面（設定ダイアログ）ＧＲ（図８参照）をコンピュータ１０の表示部５に表示させる。ユーザは、この設定画面ＧＲを用いて、各種の印刷設定項目を設定する。
【００４８】
図８は、プリンタドライバの設定画面ＧＲ（プリンタ８０に関する印刷設定用のダイアログ）の一例を示す図である。図８に示すように、この画面ＧＲには、「Ｍｙタブ（マイタブ）」、「基本設定」、「レイアウト」、「仕上げ」、「カバーシート／挿入紙」、「スタンプ／ページ印字」、「画像品質」などの複数のタブにそれぞれ対応する複数の設定画面ＧＴが切換表示される。各設定画面ＧＴは、設定画面ＧＲ内の上部の対応タブをマウスでクリックすることなどによって、表示部５（詳細には設定画面ＧＲ）において選択的に表示される。各設定画面ＧＴは、「タブ画面」あるいは「サブ設定画面」とも称される。このように、切換表示可能な複数の設定画面（タブ画面）ＧＴの中から選択された所望の設定画面が表示される。そして、当該所望の設定画面内の表示項目に関するユーザ設定操作が行われる。
【００４９】
これらの複数の設定画面のうち、「Ｍｙタブ」以外の設定画面（ここでは、「基本設定」、「レイアウト」、「仕上げ」、「カバーシート／挿入紙」、「スタンプ／ページ印字」、「画像品質」、「その他」）は、プリンタドライバにおいて予め準備されている設定画面であり、所定の基準に従って分類された所定の設定項目をそれぞれ有している規定の設定画面（規定設定画面）である。これらのタブ画面（規定設定画面）は、それぞれ、所定の基準に従って分類された所定の項目（原則として固定された項目）を有することから、「固定タブ画面」とも称される。
【００５０】
一方、「Ｍｙタブ」に対応するタブ画面（「Ｍｙタブ」画面とも称する）は、ユーザによって選択された所望の設定項目を自由に配置することが可能な設定画面（自由配置画面とも称される）である。「Ｍｙタブ」画面においては、複数のタブ画面内の複数の設定項目の中から、ユーザが１又は複数の所望の選択項目を選択し、選択された設定項目を１つの設定画面に集約して配置することができる（図８等参照）。「Ｍｙタブ」画面は、選択された１又は複数の設定項目が集約された設定画面であることから、「集約画面」あるいは「編集可能画面」なども表現される。
【００５１】
このような設定画面ＧＲを用いて、ユーザは用紙サイズを含む各種の設定項目に関する設定操作を行うことが可能である。
【００５２】
図８においては、設定項目「用紙サイズ」に関する設定用のリストボックスＬＢ１が「Ｍｙタブ」内に配置されている様子が示されている。また、当該リストボックスＬＢ１が押下されると、選択可能な候補（選択肢）が設定候補表示欄ＬＣに表示される。ステップＳ１３の時点では、プリンタドライバ３０が対応可能な非常に多数の選択肢のうち、ステップＳ１１で受信された情報Ｍ１（詳細には、給紙トレイＴＲ１に現在配置されている用紙のサイズ「Ａ４」）のみが、設定候補表示欄ＬＣに表示されている。
【００５３】
ところで、従来においては、図２３に示されるように、設定画面ＧＲ（ＧＲ９）内のリストボックスＬＢ（ＬＢ９）の設定候補表示欄ＬＣ（ＬＣ９）に非常に多数の選択肢が表示されていた。
【００５４】
これに対して、この実施形態に係る設定候補表示欄ＬＣにおいては、厳選された少数の選択肢（ここでは単一の選択肢「Ａ４」）のみを表示することが可能である。したがって、多過ぎる選択肢が表示されることに伴う操作困難性を解消することが可能である。特に、給紙トレイに現時点で配置されている用紙の情報Ｍ１が自動的に取得され且つ自動的に設定候補表示欄ＬＣに表示されるので、ユーザは高い利便性を得ることができる。
【００５５】
また、この実施形態においては、設定候補表示欄ＬＣに表示される選択肢（表示対象選択肢）を、ユーザがカスタマイズすることも可能である。具体的には、ユーザは、編集ボタンＢＴ１（図８）を押下して、手動登録ダイアログＭＤ（図９等参照）と付随ダイアログＮＤとを含むカスタマイズ登録画面ＣＳを表示させ、当該手動登録ダイアログＭＤ等を用いて表示対象選択肢を手動操作により追加（編集）することが可能である。これにより、プリンタ８０の印刷出力にてユーザによって利用される可能性がある「用紙サイズ」を、表示対象選択肢として追加しておくことができる。ここにおいて、プリンタ８０の給紙トレイＴＲ１にセットされている用紙サイズ（「Ａ４」サイズ）の選択肢に関しては、既に表示対象選択肢として登録されており、更なるカスタマイズ登録操作を行うことを要しない。
【００５６】
設定項目「用紙サイズ」の右横に配置された「編集」ボタンＢＴ１（図８）をユーザが押下すると、ステップＳ１４からステップＳ１７に進む。
【００５７】
なお、ＯＫボタンＢＴ２が押下されたときには、ステップＳ１４からステップＳ１５を経てステップＳ２４に進む。一方、キャンセルボタンＢＴ３が押下されたときには、ステップＳ１４からステップＳ１５を経て、（ステップＳ２４を経ることなく）図７の処理を終了する。また、その他のボタンが押下されたときには、ステップＳ１５からステップＳ１６に進み、適宜の処理が実行される。
【００５８】
ステップＳ１７においては、編集ボタンＢＴ１の押下に応じて、プリンタドライバ３０（詳細には登録部１２および表示制御部１４等）は、表示対象選択肢に関するカスタマイズ登録画面ＣＳ（図９）を表示部５に表示する。詳細には、プリンタドライバ３０は、手動登録ダイアログＭＤと当該手動登録ダイアログＭＤに付随する付随ダイアログＮＤとを表示部５に表示する。
【００５９】
手動登録ダイアログＭＤの左側部分から中央部分に亘って設けられた全選択肢表示欄ＰＬには、設定項目「用紙サイズ」に関する多数の選択肢が列挙されている。全選択肢表示欄ＰＬには、プリンタドライバ３０が保持する複数の選択肢（用紙サイズに関する選択肢）の全てが列挙されている。具体的には、「Ａ３」、「Ａ４」、「Ａ５」、「Ａ６」、...などの多数の選択肢が３列に分かれて表示されている。
【００６０】
また、手動登録ダイアログＭＤ内の全選択肢表示欄ＰＬの右側には、表示リスト欄ＭＣが設けられている。表示リスト欄ＭＣには、表示対象選択肢リストＬＴと同じ情報が表示される。すなわち、表示リスト欄ＭＣには、設定候補表示欄ＬＣへの表示対象の選択肢に関する情報が表示される。たとえば、プリンタ８０の給紙トレイＴＲ１に「Ａ４」サイズの用紙がセットされている場合において、ユーザによるカスタマイズ前には、当該「Ａ４」サイズのみが選択肢として表示リスト欄ＭＣに表示される。
【００６１】
その後、ユーザによる編集操作に応じて表示リスト欄ＭＣの表示内容、ひいては表示対象選択肢リストＬＴの内容が変更される。すなわち、ユーザは、手動登録ダイアログＭＤを用いて、表示対象選択肢を追加登録（手動追加登録）することができる。より詳細には、ユーザは、実際に利用することが想定される選択肢であって自動登録されていない選択肢を、手動操作で追加登録することができる。これにより、プリンタドライバ３０が保持する非常に多数の選択肢（用紙サイズ）のうち、実際に利用することが想定される選択肢のみが表示対象選択肢として柔軟に登録され得る。
【００６２】
たとえば、図１０に示すように、全選択肢表示欄ＰＬ内の多数の選択肢のうち選択肢「Ａ３」が選択された状態で、ユーザが右向きの矢印ボタンＡＲを押下する。この押下操作に応じて、プリンタドライバ３０（詳細には表示制御部１４）は、選択された選択肢「Ａ３」を、表示リスト欄ＭＣに追加する（ステップＳ１８）（図１０参照）。図１０では、ユーザ操作によって選択された選択肢が強調表示（太枠で囲まれて表示）されているとともに、ユーザ操作によって表示リスト欄ＭＣに追加された選択肢が別の態様で強調表示（斜線ハッチングが付されて表示）されている。強調表示としては、太枠囲み表示、ハッチング付与表示、着色表示、点滅表示などの各種の手法が適宜用いられればよい。
【００６３】
なお、表示対象選択肢リストＬＴ（図１３等参照）において、その決定要因が「デバイス」である旨（給紙トレイＴＲ１にセットされていることをプリンタ８０（デバイス）から自動取得した旨）が記録されている選択肢（「Ａ４」）は、全選択肢表示欄ＰＬおよび表示リスト欄ＭＣにおいてグレーアウト表示されており、ユーザによる編集操作（削除等）を受け付けることはできない。これによれば、給紙トレイＴＲ１にセット中の用紙に関する選択肢（「Ａ４」）が誤って削除されてしまうことを防止できる。
【００６４】
さらに、プリンタドライバ３０の登録部１２は、表示リスト欄ＭＣに追加された選択肢（「Ａ３」）を表示対象選択肢リストＬＴ（図１４参照）にも追加する（ステップＳ１８）。より詳細には、選択肢「Ａ３」の決定要因が「ユーザ」であること（選択肢「Ａ３」がユーザのカスタマイズ操作によって追加されたこと）もが表示対象選択肢リストＬＴにおいて記憶される。このようにして、カスタマイズ登録画面ＣＳにおけるユーザによる所望の選択肢の追加登録操作入力に応じて取得された情報Ｍ２（「Ａ３」サイズ）が、表示対象選択肢リストＬＴに追加登録される。
【００６５】
また、これに伴って、プリンタドライバ３０（詳細には登録部１２および表示制御部１４）は、手動登録ダイアログＭＤに付随して表示された付随ダイアログＮＤ内の表示欄ＦＡ（図９参照）の内容も更新する（ステップＳ１９）。表示欄ＦＡは、プリンタ８０の印刷出力に関する複数の機能のうち、表示リスト欄ＭＣに表示された複数の選択肢のいずれかによって利用可能な機能（詳細にはその機能名称）を表示する欄である。
【００６６】
たとえば、図９の状態から図１０の状態に遷移する場合には、用紙サイズ「Ａ４」の用紙に関して利用可能な複数の機能（仕上げ機能等）（図９参照）に加えて、用紙サイズ「Ａ３」の用紙に関して利用可能な機能（仕上げ機能等）もが表示欄ＦＡに表示される（図１０参照）。具体的には、図９においては、「両面」、「小冊子」、「仕分け」、「ステープル」、「パンチ」、「中綴じ」、「三つ折り」が表示されているのに対して、図１０においては、さらに「Ｚ折り」もが表示されている。このような表示は、各用紙サイズと当該各用紙サイズで利用可能な機能（利用可能機能）との関係を示すデータテーブルＴＢ（図１２参照）に基づいて行われればよい。当該データテーブルＴＢは、プリンタドライバ３０内部に格納されているものとする。ただし、これに限定されず、データテーブルＴＢは、プリンタ８０等の外部装置から取得されるようにしてもよい。
【００６７】
図１２は、プリンタ８０の印刷出力に関する複数の機能と各用紙サイズによる印刷出力との関係が規定されたデータテーブルＴＢを示す図である。データテーブルＴＢには、各用紙サイズの用紙を用いた印刷出力において複数の機能のそれぞれが利用可能か否かが規定されている。図１２においては、「Ａ４」サイズの用紙に関しては、「両面」、「小冊子」、「仕分け」、「ステープル」、「パンチ」、「中綴じ」、「三つ折り」が利用可能であり、「Ｚ折り」が利用不可能であることが示されている。また、「Ａ３」サイズの用紙に関しては、「両面」、「小冊子」、「仕分け」、「ステープル」、「パンチ」、「中綴じ」、「Ｚ折り」が利用可能であり、「三つ折り」が利用不可能であることが示されている。同様に、「Ａ５」サイズの用紙に関しては、「両面」、「小冊子」、「仕分け」、「ステープル」、「パンチ」が利用可能であり、「中綴じ」、「三つ折り」「Ｚ折り」が利用不可能であることが示されている。また、「Ａ６」サイズの用紙に関しては、「両面」が利用可能であり、「小冊子」、「仕分け」、「ステープル」、「パンチ」、「中綴じ」、「三つ折り」、「Ｚ折り」が利用不可能であることが示されている。
【００６８】
ユーザは表示欄ＦＡ（図１０）の表示内容を視認することにより、新たな用紙サイズをも含む複数の選択肢のいずれかによって、「両面」、「小冊子」、「仕分け」、「ステープル」、「パンチ」、「中綴じ」、「三つ折り」のみならず「Ｚ折り」をも含む各種機能を利用することを知得することができる。これによれば、ユーザは、これまで利用していなかった（可能性の高い）機能「Ｚ折り」を新たに利用することが可能であることを知得することができる。すなわち、当該機能の存在を知得することが可能である。換言すれば、プリンタドライバ３０は、利用されていなかった可能性の高い機能の存在を、ユーザに報知することが可能である。
【００６９】
なお、上記においては右向き矢印ボタンＡＲが押下された場合について説明しているが、逆に、表示リスト欄ＭＣのうちの一の選択肢を選択した状態で左向き矢印ボタンＡＬが押下された場合には、当該一の選択肢が表示リスト欄ＭＣから削除される。
【００７０】
その後、ＯＫボタンＢＴ５が押下されると、編集作業が終了し、ステップＳ２０からステップＳ２３に進む。ステップＳ２３においては、表示制御部１４は、更新後の表示対象選択肢リストＬＴの内容に基づき、設定画面ＧＲを更新表示する（図１１参照）。
【００７１】
より詳細には、ユーザがリストボックスＬＢ１を押下すると、プリンタドライバ３０に格納された非常に多数の選択肢のうち、今度は、図１１に示すような一部の選択肢が表示される。具体的には、図８と比較すると判るように、ステップＳ１１で受信された用紙サイズ情報Ｍ１（詳細には、給紙トレイＴＲ１に現在配置されている用紙のサイズ情報「Ａ４」）に加えて、ユーザのカスタマイズ操作によって追加された用紙サイズ情報Ｍ２（「Ａ３」）もが設定候補表示欄ＬＣ（ＬＣ２）に表示される（図１１）。この設定候補表示欄ＬＣ２には、カスタマイズ操作によって追加された用紙サイズ情報Ｍ２をも含む最小限の選択肢が表示されるため、ユーザは多数の選択肢に惑わされることなく且つ所望の選択肢を選択することが可能である。たとえば、ユーザは、用紙サイズ「Ａ４」を選択することが可能である。あるいは、ユーザは、用紙サイズ「Ａ３」を選択することも可能である。
【００７２】
また、設定画面ＧＲ内のＯＫボタンＢＴ２（図１１参照）が押下される前に、設定画面ＧＲ内のその他の各ボタン操作が行われると、当該各ボタン操作に応じた設定操作が行われる。たとえば、ユーザは「仕上げ」タブをクリックして図１８のような設定画面ＧＲを表示させ、当該設定画面ＧＲにおいて「仕上げ」機能に関する設定操作を行うことが可能である。たとえば、「ステープル」、「中綴じ」、「パンチ」等に関する設定操作が行われる。なお、図９のチェックボックスＣＢ（利用可能な機能の設定項目のみをユーザインターフェイス画面（設定画面）に表示する旨を示すチェックボックス）にチェック印が付されている場合には、設定画面ＧＲ（ＧＴ）において、利用不可能な機能に関する設定項目はグレーアウト表示され無効化される。たとえば、仕上げ機能に関する設定項目「Ｚ折り」が利用不可能な機能である場合には、図１８に示すように、仕上げ機能に関する設定項目「Ｚ折り」はグレーアウト表示され無効化される。これにより、ユーザは、当該設定項目「Ｚ折り」を選択できないことを知得することができる。
【００７３】
その後、設定画面ＧＲ内のＯＫボタンＢＴ２（図１１参照）が押下されると、ステップＳ１４からステップＳ１５を経て（ステップＳ１５で「ＹＥＳ」と判定され）ステップＳ２４に進む。ステップＳ２４では、プリンタドライバ３０（印刷データ生成部１５）は、設定画面ＧＲを用いて設定された印刷設定内容に応じた印刷データを生成し、当該印刷データをプリンタ８０に送信する。これにより、ユーザの設定操作による印刷設定内容を反映した印刷出力が行われる。
【００７４】
たとえば、ユーザが用紙サイズ「Ａ４」を選択した場合には、給紙トレイＴＲ１内の用紙「Ａ４」に対する印刷出力を行うことが可能である。
【００７５】
あるいは、ユーザが用紙サイズ「Ａ３」を選択した場合において、給紙トレイＴＲ１内にて「Ａ４」サイズの用紙に代えて配置された「Ａ３」サイズの用紙（図５参照）の用紙に対する印刷出力を行うことが可能である。図５は、給紙トレイＴＲ１内の用紙が「Ａ４」サイズの用紙から「Ａ３」サイズの用紙へと入れ替えられた後の様子を示す図である。
【００７６】
あるいは、ユーザが用紙サイズ「Ａ３」を選択した場合において、手差しトレイＴＲ９（図６参照）に配置した用紙「Ａ３」（図６参照）の用紙に対する印刷出力を行うことが可能である。図６は、「Ａ３」サイズの用紙が手差しトレイに配置されている様子を示す図である。「Ａ３」サイズの用紙が手差しトレイに配置されることによれば、「Ａ４」サイズの用紙を給紙トレイＴＲ１に残したまま、「Ａ３」サイズの用紙を追加的に供給して「Ａ３」サイズの用紙に対する印刷出力を行うことが可能である。
【００７７】
以上のような動作によれば、印刷設定画面ＧＲ内の設定項目（「用紙サイズ」）に関する設定候補表示欄ＬＣ（図１１参照）において、当該設定項目に関する多数の選択肢（プリンタドライバ３０が保持する多数の選択肢）のうち、比較的少数の選択肢（一部の選択肢）のみが、表示対象選択肢として表示される。当該比較的少数の選択肢は、プリンタ８０の給紙トレイＴＲ１内に配置された用紙情報Ｍ１（「Ａ４（サイズ）」）とユーザのカスタマイズ操作によって追加された用紙情報Ｍ２（「Ａ３（サイズ）」）とで構成される。そのため、ユーザは多数の選択肢に惑わされることなく且つ所望の選択肢を比較的容易に選択することが可能である。したがって、ユーザは高い操作性を得ることができる。また、特に、プリンタ８０の給紙トレイＴＲ１内に配置された用紙の情報Ｍ１（「Ａ４（サイズ）」）は自動的に取得され、表示対象選択肢として自動的に登録される。したがって、カスタマイズ登録操作において当該情報Ｍ１に係る選択肢をユーザが追加登録することを要さず、カスタマイズ操作における操作者の手間を軽減することができる。すなわち、ユーザはさらに高い操作性を得ることができる。
【００７８】
また、上記と同様にして、ステップＳ１８，Ｓ１９の動作が繰り返し行われることによって、さらに別の用紙情報を追加することも可能である。図１６では、手動登録ダイアログＭＤを用いて、「封筒角形２号」と「封筒角形３号」との２種類の用紙サイズが「表示対象選択肢」としてさらに追加されている様子が示されている。また、図１７では、当該登録操作後に表示される設定画面ＧＲにおいて、当該２つの選択肢（「封筒角形２号」および「封筒角形３号」）が設定候補表示欄ＬＣ（ＬＣ４）に更に追加されている様子が示されている。
【００７９】
また、上記実施形態においては、表示リスト欄ＭＣに含まれる表示対象選択肢のいずれかの選択に応じて利用可能な機能Ｆａが手動登録ダイアログＭＤに付随して表示され、当該機能Ｆａ（より詳細には、当該機能Ｆａの存在）がユーザに報知されている。したがって、ユーザは、自らが追加した用紙サイズを含む複数の用紙サイズのいずれかを使用する際に利用可能な機能Ｆａを、カスタマイズ操作時において知得することができる。特に、カスタマイズ操作時における用紙サイズの追加に応じて新たに利用可能になる機能が存在する場合には、当該機能（たとえば「Ｚ折り」）が利用可能になったことをユーザが容易に認識できる。
【００８０】
＜３．その他＞
以上、この発明の実施の形態について説明したが、この発明は上記説明した内容のものに限定されるものではない。
【００８１】
たとえば、上記実施形態では、「Ｍｙタブ」内に配置された設定項目「用紙サイズ」に関して、本発明の思想が適用される態様が例示されている。しかしながら、これに限定されず、「基本設定」タブ内に配置された設定項目「用紙サイズ」に関して、本発明の思想が適用されるようにしてもよい。
【００８２】
また、上記実施形態等においては、表示対象選択肢の手動登録ダイアログＭＤにおけるユーザの操作入力に応じて追加登録情報Ｍ２が決定され取得される態様が例示されているが、これに限定されない。
【００８３】
たとえば、取得部１１によって追加登録情報Ｍ２が自動的に決定され自動的に取得されるようにしてもよい。より具体的には、ユーザの操作に応じて給紙トレイＴＲ１にて元の用紙（「Ａ４」サイズの用紙）と入れ替えて配置（入替配置）された新たな用紙（「Ａ３」サイズの用紙）の情報（「Ａ３」サイズ）が追加登録情報Ｍ２として自動的に取得されればよい。
【００８４】
詳細には、図７に示す動作が行われて、図１３のような表示対象選択肢リストＬＴが生成された後に、当該新たな用紙（「Ａ３」サイズの用紙）を給紙トレイに配置する入替操作が行われる。より具体的には、ユーザは、給紙トレイＴＲ１に配置されていた元の用紙（「Ａ４」サイズの用紙）を給紙トレイＴＲ１から取り出すとともに、新たな用紙（「Ａ３」サイズの用紙）を給紙トレイＴＲ１に配置（入替配置）する。その後に再びプリンタドライバが起動されて図７の動作が再開され、上記ステップＳ１２（図７）の取得動作の際に、新たな用紙（「Ａ３」サイズの用紙）の情報（「Ａ３」サイズ）が追加登録情報Ｍ２として自動的に取得されればよい（図１５も参照）。なお、図１５に示すように、元の「Ａ４」サイズの情報も表示対象選択肢リストＬＴに保持しておくものとする。また、好ましくは、新たな表示対象選択肢「Ａ３」の決定要因が「デバイス（新）」であること、および入替前の表示対象選択肢「Ａ４」の決定要因が「デバイス（旧）」であることも記憶される。
【００８５】
このような改変例によれば、入れ替え後の新たな用紙の情報Ｍ２（用紙サイズ情報）がユーザによるカスタマイズ操作入力（手動登録操作）を経ることなく自動的に追加されていく。換言すれば、使用する可能性がある用紙サイズ（実際に利用したことがあるものも含む）を効率的に且つ自動的に追加することができる。したがって、操作者は、その操作の手間を低減することが可能であり、さらに高い操作性を得ることができる。
【００８６】
なお、追加登録情報Ｍ２は、このような取得部１１による自動取得動作に応じて追加登録（自動追加登録）される前および／または後において、上記実施形態のように手動登録ダイアログＭＤにおけるユーザの手動登録操作にも応じて追加登録されるようにしてもよい。
【００８７】
また、上記実施形態等においては、元の「Ａ４」サイズと新たに追加された「Ａ３」サイズとのいずれかで利用可能な機能の全てが同等に表示されているが、これに限定されない。たとえば、図１９に示すように、「Ａ３」サイズが新たに追加されることによって利用可能になった機能「Ｚ折り」のみが、付随ダイアログＮＤにおいて強調表示される（図１９では斜線ハッチングが付されている）ようにしてもよい。
【００８８】
また、上記実施形態等においては、表示対象選択肢として登録された「用紙サイズ」の用紙のいずれか（表示対象選択肢のいずれか）の選択に応じて「利用可能」な機能Ｆａが、付随ダイアログＮＤ（図９および図１０参照）に表示され、ユーザに報知されているが、これに限定されない。たとえば、（逆に、）表示対象選択肢として登録された「用紙サイズ」の用紙のいずれ（表示対象選択肢のいずれ）の選択に応じても「利用不可能」な機能Ｆｂが、付随ダイアログＮＤ（図２０および図２１参照）に表示され、ユーザに報知されるようにしてもよい。図２０では、「Ａ４」サイズの用紙のみが表示対象選択肢として選択されている状態が示されている。当該状態においては利用不可能な機能Ｆｂとして「Ｚ折り」が付随ダイアログＮＤの表示欄ＦＢに表示されている。一方、図２１においては、「Ａ４」サイズの用紙に加えて「Ａ３」サイズの用紙もが表示対象選択肢として選択されている状態が示されている。図２１においては、「Ａ３」サイズの用紙が表示対象選択肢として追加されて「Ｚ折り」が利用可能な機能に追加されることに応じて、当該「Ｚ折り」が付随ダイアログＮＤの表示欄ＦＢから削除されている。すなわち、利用不可能な機能Ｆｂのリストから「Ｚ折り」が除外されている。このように、表示対象選択肢のいずれの選択に応じても利用不可能な機能Ｆｂが、付随ダイアログＮＤに表示されるようにしてもよい。
【００８９】
また、上記実施形態等においては、利用可能な機能Ｆａあるいは利用不可能な機能Ｆｂが付随ダイアログＮＤに表示されているが、これに限定されず、利用可能な機能Ｆａあるいは利用不可能な機能Ｆｂが手動登録ダイアログＭＤ内に表示されるようにしてもよい。
【００９０】
また、上記実施形態等においては、プリンタ８０内に単一の給紙トレイＴＲ１が設けられる態様が例示されているが、これに限定されず、プリンタ８０内に複数の給紙トレイが設けられる場合に上記の思想を適用するようにしてもよい。具体的には、複数の給紙トレイに配置されている用紙の用紙サイズ情報Ｍ１とユーザによりカスタマイズされた用紙サイズ情報Ｍ２とで構成される比較的少数の選択肢が表示対象選択肢として自動的に決定されればよい。これによれば、複数の給紙トレイに配置されている用紙の用紙サイズが表示対象選択肢として自動的に決定される。そのため、複数の給紙トレイに配置されている用紙の用紙サイズに関しては、ユーザの操作入力によってカスタマイズ登録することを要しない。したがって、ユーザの手間がさらに低減される。
【００９１】
また、上記実施形態等においては、コンピュータ１０（詳細には取得部１１）が、プリンタ８０の給紙トレイに配置されている用紙の情報をプリンタ８０自身から取得しているが、これに限定されない。たとえば、コンピュータ１０（詳細には取得部１１）は、プリンタ８０の給紙トレイに配置されている用紙の情報を、管理サーバ５０から取得するようにしてもよい。図２２は、このような改変例に係る印刷システム１（１Ｂ）を示す図である。管理サーバ５０は、プリンタ８０の情報を管理するサーバコンピュータであって、プリンタ８０の給紙トレイに配置されている用紙の情報を格納している。コンピュータ１０（詳細には取得部１１）は、プリンタ８０の給紙トレイに配置されている用紙の情報を、通信ネットワーク等を介して管理サーバ５０から取得するようにしてもよい。
【００９２】
また、上記実施形態等においては、複数の給紙トレイに配置されている用紙の用紙サイズ情報Ｍ１のみがカスタマイズ登録前に表示対象選択肢として予め登録されている態様が主に例示されているが、これに限定されない。当該情報Ｍ１に加えて、プリンタ８０での利用が予定されている用紙の情報として管理サーバ５０にて記憶されている情報Ｍ３もが、カスタマイズ登録前に表示対象選択肢として予め登録されるようにしてもよい。
【００９３】
具体的には、ステップＳ１１（図７参照）において、コンピュータ１０の取得部１１は、通信ネットワーク等を介して、上述の情報Ｍ１をプリンタ８０等から取得するとともに当該情報Ｍ３を管理サーバ５０から取得する。ここでは、プリンタ８０での利用が予定されている用紙の情報（利用予定用紙情報とも称する）Ｍ３が、管理者の登録操作等によって管理サーバ５０に予め登録され記憶されているものとする。そして、ステップＳ１２において、登録部１２は、情報Ｍ１，Ｍ３を表示対象選択肢として登録する。その後は、ステップＳ１３以降と同様の動作等が行われる。
【００９４】
たとえば「Ａ３（サイズ）」が利用予定用紙情報Ｍ３として管理サーバ５０に記憶されている場合には、ステップＳ１１において、プリンタ８０の給紙トレイに配置されている用紙のサイズ情報Ｍ１（たとえば「Ａ４」）がプリンタ８０から取得されるとともに、当該利用予定用紙情報Ｍ３（「Ａ３」）が管理サーバ５０から取得される。そして、ステップＳ１２においては、当該情報Ｍ１（「Ａ４」）と当該情報Ｍ３（「Ａ３」）とが表示対象選択肢として登録される。
【００９５】
その後、ステップＳ１３以降において、手動登録ダイアログＭＤを用いた追加登録操作によって、さらに別の用紙情報（たとえば「封筒角形２号」および「封筒角形３号」）が「表示対象選択肢」として追加される（図１６参照）。これに応じて、印刷設定画面ＧＲ内の設定項目に関する設定候補表示欄ＬＣ（図１１参照）においては、当該設定項目に関する複数の選択肢のうち、情報Ｍ１，Ｍ２，Ｍ３を含む一部の選択肢のみ（たとえば「Ａ４」、「Ａ３」、「封筒角形２号」、「封筒角形３号」）が表示対象選択肢として表示される。
【００９６】
なお、ステップＳ１７では、カスタマイズ画面ＭＤのＭＣには、情報Ｍ１（「Ａ４」）と情報Ｍ３（「Ａ３」）とが初期表示される。情報Ｍ３に係る選択肢（「Ａ３」）は、情報Ｍ１と同様に、全選択肢表示欄ＰＬおよび表示リスト欄ＭＣにおいてグレーアウト表示されることが好ましい。換言すれば、情報Ｍ３に係る選択肢は、ユーザによる編集操作（削除等）を受け付けることができないように構成されることが好ましい。これによれば、ユーザによるカスタマイズ操作によって、情報Ｍ３が誤って削除されてしまうことを防止できる。
【００９７】
また、上記実施形態等においては、設定項目「用紙サイズ」に関する設定の際に本発明の思想を適用する態様が例示されているが、これに限定されず、設定項目「用紙種類」に関する設定の際に上記の思想を適用するようにしてもよい。「用紙種類」の設定内容（選択肢）としては、たとえば、「普通紙」、「再生紙」、「厚紙」などの各種の用紙種類が例示される。この場合において、さらに、上記実施形態と同様に、表示対象選択肢として決定された用紙種類に対応する「利用可能」な機能Ｆａ（あるいは「利用不可能」な機能Ｆｂ）が付随ダイアログＮＤに表示されるようにしてもよい。たとえば、「厚紙」のみが表示対象選択肢として設定されている場合には、「中綴じ」、「三つ折り」および「Ｚ折り」が「利用不可能」な機能Ｆｂとして付随ダイアログＮＤに表示されればよい。
【００９８】
また、上記実施形態においては、プリンタドライバ３０が図７の動作等を行う態様が例示されているが、これに限定されない。たとえば、プリンタドライバから各種の情報を取得した他のアプリケーションソフトウエアが図７の動作と同様の動作等を行うようにしてもよい。
【符号の説明】
【００９９】
１  印刷システム
１０  コンピュータ
２０  アプリケーションソフトウエア
３０  プリンタドライバ
５０  管理サーバ
８０  プリンタ
ＣＳ  カスタマイズ登録画面
ＧＲ  印刷設定画面
ＬＢ  リストボックス
ＬＣ  設定候補表示欄
ＬＴ  表示対象選択肢リスト
ＭＣ  表示リスト欄
ＭＤ  手動登録ダイアログ
ＮＤ  付随ダイアログ
ＰＬ  全選択肢表示欄
ＴＢ  データテーブル
ＴＲ１  給紙トレイ
【図１】
2014228944.tif 000003
【図２】
2014228944.tif 000004
【図３】
2014228944.tif 000005
【図４】
2014228944.tif 000006
【図５】
2014228944.tif 000007
【図６】
2014228944.tif 000008
【図７】
2014228944.tif 000009
【図８】
2014228944.tif 000010
【図９】
2014228944.tif 000011
【図１０】
2014228944.tif 000012
【図１１】
2014228944.tif 000013
【図１２】
2014228944.tif 000014
【図１３】
2014228944.tif 000015
【図１４】
2014228944.tif 000016
【図１５】
2014228944.tif 000017
【図１６】
2014228944.tif 000018
【図１７】
2014228944.tif 000019
【図１８】
2014228944.tif 000020
【図１９】
2014228944.tif 000021
【図２０】
2014228944.tif 000022
【図２１】
2014228944.tif 000023
【図２２】
2014228944.tif 000024
【図２３】
2014228944.tif 000025